(57)【要約】【課題】  大電流を流すことができ、しかも高電圧に耐えられ、しかも加熱部がコンパクトな定着装置を提供すること。【解決手段】  トナー像を保持する画像定着媒体１１に接し、前記トナー像に熱を加えてこれを前記画像定着媒体１１に固着させる定着ローラ１２と、前記画像定着媒体１１を前記定着ローラ１２に押し付ける押圧ローラ１３とから成り、前記定着ローラ１２は、熱伝導性を有し回転する第１の円筒体と、周縁部に溝を有する巻枠１７及びこの巻枠１７の前記溝に捲回され高周波電流を流される誘導コイル１８とから成り、前記第１の円筒体の前記画像定着媒体１１に接する前の位置に熱を生ぜしめる誘導加熱体と、から成る。【選択図】図１
2006091115.tif 000002
【特許請求の範囲】
【請求項１】
トナー像を保持する画像定着媒体に接し、前記トナー像に熱を加えてこれを前記画像定着媒体に固着させる定着手段と、
前記画像定着媒体を前記定着手段に押し付ける押圧ローラとから成り、
前記定着手段は、
熱伝導性を有し回転する第１の円筒体と、
周縁部に溝を有する巻枠及びこの巻枠の前記溝に捲回され高周波電流を流される誘導コイルとから成り、前記第１の円筒体の前記画像定着媒体に接する前の位置に熱を生ぜしめる誘導加熱体と、から成ることを特徴とする定着装置。
【請求項２】
トナー像を保持する画像定着媒体に接し、前記トナー像に熱を加えてこれを前記画像定着媒体に固着させる定着手段と、
前記画像定着媒体を前記定着手段に押し付ける押圧ローラとから成り、
前記定着手段は、
熱伝導性を有し回転する第１の円筒体と、
この第１の円筒体の内部に固定して設けられる第２の円筒体と、
周縁部に溝を有する巻枠及びこの巻枠の前記溝に捲回され高周波電流を流される誘導コイルとから成り、前記第２の円筒体の内部に設けられ、前記第１の円筒体の前記画像定着媒体に接する前の位置に熱を生ぜしめる誘導加熱体と、から成ることを特徴とする定着装置。
【請求項３】
トナー像を保持する画像定着媒体に接し、前記トナー像に熱を加えてこれを前記画像定着媒体に固着させる定着手段と、
前記画像定着媒体を前記定着手段に押し付ける押圧ローラとから成り、
前記定着手段は、
熱伝導性を有し回転する第１の円筒体と、
周縁部に溝を有する巻枠及びこの巻枠の前記溝に捲回され高周波電流を流される誘導コイルとから成り、前記第１の円筒体の外側に設けられ、この第１の円筒体の前記画像定着媒体に接する前の位置に熱を生ぜしめる誘導加熱体と、から成ることを特徴とする定着装置。
【発明の詳細な説明】
【技術分野】
【０００１】
本発明は、複写機等の画像形成装置における定着装置に関する。
【背景技術】
【０００２】
従来、複写機、プリンタ、ファクシミリなどの画像形成装置において、トナー像を記録紙などに固定するために定着装置が用いられる。
【０００３】
定着装置においてトナー像を定着するためには、トナー像を加熱しなければならず、そのために定着ローラを加熱する必要があるが、この加熱を渦電流により行う加熱装置が知られている（特許文献１参照）。
【０００４】
また、この渦電流を発生するためのシートコイルを用いた定着装置等について、本出願人は先に出願した（特願２００４−１００３９５）。
【特許文献１】特開２００２−１８２５２６号公報
【発明の開示】
【発明が解決しようとする課題】
【０００５】
しかし、上述のシートコイルを用いる定着装置では、加熱部をコンパクトにすることが可能であるが、電流や耐圧の点で限界がある。
【０００６】
本発明は上記のように問題点を解決すべくなされたもので、大電流を流すことができ、しかも高電圧に耐えられ、しかも加熱部がコンパクトな定着装置を提供することを目的とする。
【課題を解決するための手段】
【０００７】
本発明の請求項１によれば、トナー像を保持する画像定着媒体に接し、前記トナー像に熱を加えてこれを前記画像定着媒体に固着させる定着ローラと、前記画像定着媒体を前記定着ローラに押し付ける押圧ローラとから成り、前記定着ローラは、熱伝導性を有し回転する第１の円筒体と、周縁部に溝を有する巻枠及びこの巻枠の前記溝に捲回され高周波電流を流される誘導コイルとから成り、前記第１の円筒体の前記画像定着媒体に接する前の位置に熱を生ぜしめる誘導加熱体と、から成ることを特徴とする定着装置を提供する。
【発明の効果】
【０００８】
本発明によれば、大電流を流すことができ、しかも高電圧に耐えられ、しかも加熱部がコンパクトな定着装置が得られる効果がある。
【発明を実施するための最良の形態】
【０００９】
以下、本発明の実施形態について図面を用いて説明する。図１に本発明一実施形態の定着装置の構成例を示す。図１において、定着装置１０は、紙などの画像定着媒体１１に接触し、画像を加熱によりこの画像定着媒体１１に固定する定着ローラ１２と、画像定着媒体１１を裏面から定着ローラ１１に押し付ける加圧ローラ１３とから成る。
【００１０】
定着ローラ１２は、図示しないモータにより駆動され一定速度で回転する外部円筒体１４と、この外部円筒体１４と同一軸で外部円筒体１４内に固定されている内部円筒体１５と、この内部円筒体１５内で、加圧ローラ１３が定着ローラ１２に押し付けられる部位の直前の位置に設けられる誘導加熱体１６とから成る。
【００１１】
誘導加熱体１６は、以下に述べる断面Ｈ形状の巻枠１７と、この巻枠１７に巻かれた誘導コイル１８とから成る。図示していないが、この誘導コイル１８には高周波電源が接続され、この電源から供給される電流が誘導コイル１８に流れて、誘導加熱体１６付近の内部円筒体１５に渦電流が流れ、加熱される。この熱は、矢印１９方向に回転する外部円筒体１４に伝えられる。
【００１２】
外部円筒体１４の加熱された部分が、画像定着媒体１１に押しつけられるとき、画像定着媒体１１上のトナー像を溶かしてこの上に定着させる。
【００１３】
ここで、上記誘導加熱体の製造方法について図２（ａ）、（ｂ）を用いて説明する。まず、絶縁材でできた断面Ｈ形状の巻枠１７を用意し（図２（ａ）)、これに１層として誘導コイル１８を捲回する。その後、この誘導コイル１８を自己融着させて固定し、その後巻枠１７に巻かれた誘導コイル１８を例えばテープにより挟むことにより、更に誘導コイル１８を固定する（図２（ｂ）)。
【００１４】
このようにして製造された誘導加熱体１６を、内部円筒体１５内の、外部円筒体１４が画像定着媒体１１に接触する前の位置に、できるだけ内部円筒体１５に近づけて固定する。
【００１５】
このようにして設けた定着装置では、誘導コイル１８に流れる電流によって誘導加熱体１６に近い位置の内部円筒体１５により多くの渦電流が生じ加熱されて、画像定着媒体１１上で搬送されたトナー像が溶かされ、画像定着媒体１１上に永久的に固着される。
【００１６】
本発明の上記実施形態によれば、巻枠の周縁部に捲回された誘導コイルは１層であり厚くはならないので、コンパクトな誘導加熱体が得られ、特に内部円筒体に効率的に渦電流を発生させることができる利点がある。
【００１７】
又上記実施形態によれば、内部円筒体１５を固定しておくことができるので、誘導加熱体１６をできるだけ内部円筒体１５に接して設けることができ、効率を向上させることができる。更に、巻枠１７が曲げることが可能な材料により製造されていれば、内部円筒体１５の内周に近づけて設置できるので、効率を上げることが可能である。
【００１８】
ところで、上記実施形態では、誘導加熱体を定着ローラ１２の内部に設けたが、外部円筒体１４の外側に設けることもできる。図３にこのような本発明の他の実施形態について述べる。番号３０〜３８は、図１における番号１０〜１８に対応する。但しこの実施形態では、内部円筒体がなく、誘導加熱体３６は、外部円筒体３４の外側であって、外部円筒体３４が画像定着媒体３１に接する直前の位置に設けられる。
【００１９】
巻枠３７に捲回された誘導コイル３８に図示しない高周波電源が接続され高周波電流が流されると、この誘導加熱体３６に近い外部円筒体３４の表面により多くの渦電流が発生し、熱を生ずる。この熱により、画像定着媒体３１上のトナー像は永久的にこの画像定着媒体３１上に固着される。
【００２０】
この実施形態によれば、外部円筒体３４に渦電流を生ぜしめ直接加熱するので上記の実施形態より更に効率がよい利点がある。
【００２１】
なお、上記実施形態においては画像定着のための装置として定着ローラを用いた場合について説明したが、本発明はベルト状のものを用いてもよく一般的には定着手段であればよい。
【図面の簡単な説明】
【００２２】
【図１】本発明一実施形態の定着装置の構造を示す図。
【図２】本発明一実施形態の誘導加熱体を製造する工程を説明するための図。
【図３】本発明の他の実施形態の定着装置の構造を示す図。
【符号の説明】
【００２３】
１０，３０・・・定着装置、
１１，３１・・・画像定着媒体、
１２，３２・・・定着ローラ、
１３，３３・・・加圧ローラ、
１４，３４・・・外部円筒体、
１５・・・内部円筒体、
１６，３６・・・誘導加熱体、
１７，３７・・・巻枠、
１８，３８・・・誘導コイル。
【図１】
2006091115.tif 000003
【図２】
2006091115.tif 000004
【図３】
2006091115.tif 000005